(57)【要約】【課題】中味の詰替えを手間をかけないで簡単に行えるディスペンサー容器を提供する。【解決手段】容器本体１１の開口１２に、この開口を塞ぐことができるカバー体１３を着脱自在に取り付け、このカバー体１３にポンプ部材１４を取り付け、ポンプ部材１４の吸込口１５をカバー体１３の内面１３ａ側に位置させるとともに、ポンプ部材１４の吐出口１６をカバー体１３の外面１３ｂ側に位置させ、前記カバー体１３の内面１３ａ側に係止部材１７を形成し、この係止部材１７に着脱自在に取り付けられる連結部材２１をパウチパック２０の上端に装着し、この連結部材２１はポンプ部材１４の吸込口１５を備えた吸込部材１８に嵌め込み可能となっている。【選択図】  図１
2004161287.tif 000002
【特許請求の範囲】
【請求項１】
容器本体の開口に、この開口を塞ぐことができるカバー体を着脱自在に取り付け、このカバー体にポンプ部材を取り付け、ポンプ部材の吸込口をカバー体の内面側に位置させるとともに、ポンプ部材の吐出口をカバー体の外面側に位置させ、前記カバー体の内面側に係止部材を形成し、この係止部材に着脱自在に取り付けられる連結部材をパウチパックの上端に装着し、この連結部材はポンプ部材の吸込口を備えた吸込部材に嵌め込み可能となっていることを特徴とするディスペンサー容器。
【請求項２】
前記係止部材は、前記吸込口を備えた吸込部材の外周側に対向して互いに平行に配置される一対の係止プレートと、これら一対の係止プレートの下端で互いに対向するように折り曲げ形成された係止爪とで形成され、
前記連結部材には、外周に設けられたフランジと、このフランジの対向する部位に形成された差込用の二辺の差込パーツと、これら差込パーツに直交するように形成された係止用の二辺の係止パーツとが備えられ、
前記差込パーツの間隔を前記一対の係止爪の間隔より小さく設定するとともに、前記係止パーツの間隔を前記一対の係止爪の間隔より大きく、かつ一対の係止プレートの間隔より小さく設定し、
差込パーツを一対の係止爪間から一対の係止プレート間に配置し、この状態でフランジを９０°回動させた際に、係止パーツを一対の係止爪に係止できる構成にしたことを特徴とする請求項１記載のディスペンサー容器。
【請求項３】
前記一対の係止プレートに接合した状態で、前記フランジを９０°回動させた際に、前記係止パーツの動きを停止させるためのストッパ片が設けられていることを特徴とする請求項１又は２記載のディスペンサー容器。
【請求項４】
前記一対の係止プレートは弾性変形可能な素材で形成されていることを特徴とする請求項１乃至３のいずれかに記載のディスペンサー容器。
【請求項５】
前記ポンプ部材の吸込口を備えた吸込部材の外周にＯリングを設け、このＯリングで吸込部材と連結部材との隙間をシールする構成にしたことを特徴とする請求項１乃至４のいずれかに記載のディスペンサー容器。
【請求項６】
前記連結部材の開口を閉じるキャップが着脱自在に取り付けられていることを特徴とする請求項１乃至５のいずれかに記載のディスペンサー容器。
【発明の詳細な説明】
【０００１】
【発明の属する技術分野】
本発明はディスペンサー容器に係り、特に容器本体内の中味を使いきった後、その中味の詰め替えが可能となるディスペンサー容器に関する。
【０００２】
【従来の技術】
ディスペンサー容器は、上端に開口が形成された容器本体と、この容器本体の開口に着脱自在に取り付けられるカバー体と、このカバー体にポンプ部材が取り付けられ、ポンプ部材の吸込口がカバー体の内面側に位置し、ポンプ部材の吐出口がカバー体の外面側に位置するようになっている。
【０００３】
上記のディスペンサー容器は、例えば容器本体内に化粧料などの中味が充填され、ポンプ部材のスパウトを押し込むことで、容器本体内の中味を取り出せる構成となっている。
【０００４】
このディスペンサー容器には詰替え用のパウチパックが用意され、ディスペンサー容器内の中味を使いきった後、パウチパックを開封してパウチパック内の中味を容器本体に注ぎ、これによりディスペンサー容器の繰り返し使用を可能にしている。
【０００５】
【発明が解決しようとする課題】
ここで、ディスペンサー容器の中味を詰め替えるには、パウチパックの開口部を鋏などで切断し、その切断開口を容器本体の開口にあてがい、パック内の中味を容器本体内に流し込む。
【０００６】
ここで従来の詰替え方式では、詰替えの際にパウチパックの開口部を鋏などで切断する必要があり、さらにはパウチパック内の中味を容器本体内に全部流し込むまでに時間が長くかかるため、中味の詰替えに手間がかかるという問題があった。
【０００７】
本発明は、中味の詰替えを手間をかけないで簡単に行えるようにしたディスペンサー容器を提供して、上述の全ての問題点を解消しようとするものである。
【０００８】
【課題を解決するための手段】
上記目的を達成するために請求項１の発明は、容器本体の開口に、この開口を塞ぐことができるカバー体を着脱自在に取り付け、このカバー体にポンプ部材を取り付け、ポンプ部材の吸込口をカバー体の内面側に位置させるとともに、ポンプ部材の吐出口をカバー体の外面側に位置させ、前記カバー体の内面側に係止部材を形成し、この係止部材に着脱自在に取り付けられる連結部材をパウチパックの上端に装着し、この連結部材はポンプ部材の吸込口を備えた吸込部材に嵌め込み可能となっていることを特徴とする。
【０００９】
上記した本発明に係るディスペンサー容器は、カバー体の内面側に係止部材を形成し、この係止部材にパウチパックに装着した連結部材を着脱自在になるように取り付けた。
このため、パウチパック内の中味を使いきった際には、カバー体内面側に形成した係止部材から、パウチパックに装着した連結部材を取り外し、古いパウチパックに替えて新たなパウチパックの連結部材を上記係止部材に取り付けることで中味の詰め替えが行われる。
【００１０】
請求項２の発明は、前記係止部材は、前記吸込口を備えた吸込部材の外周側に対向して互いに平行に配置される一対の係止プレートと、これら一対の係止プレートの下端で互いに対向するように折り曲げ形成された係止爪とで形成され、前記連結部材には、外周に設けられたフランジと、このフランジの対向する部位に形成された差込用の二辺の差込パーツと、これら差込パーツに直交するように形成された係止用の二辺の係止パーツとが備えられ、前記差込パーツの間隔を前記一対の係止爪の間隔より小さく設定するとともに、前記係止パーツの間隔を前記一対の係止爪の間隔より大きく、かつ一対の係止プレートの間隔より小さく設定し、差込パーツを一対の係止爪間から一対の係止プレート間に配置し、この状態でフランジを９０°回動させた際に、係止パーツを一対の係止爪に係止できる構成にしたことを特徴とする。
【００１１】
差込パーツを一対の係止プレート間に配置した後、フランジを９０°回動させて係止パーツを一対の係止爪に係止できるようにしたので、フランジを９０°回動させるだけの簡単な動作でパウチパックを簡単に交換することができる。
【００１２】
請求項３の発明は、前記一対の係止プレートに接合した状態で、前記フランジを９０°回動させた際に、前記係止パーツの動きを停止させるためのストッパ片が設けられていることを特徴とする。
【００１３】
一対の係止プレートにストッパ片を設けることで、フランジを９０°回動させた際に、係止パーツをストッパ片に当接させることができ、このため一対の係止プレートにフランジを係止させる動作を確実に、かつ簡単に行うことができる。
【００１４】
請求項４の発明は、前記一対の係止プレートは弾性変形可能な素材で形成されていることを特徴とする。
【００１５】
一対の係止プレートを弾性変形可能な素材で形成したので、フランジを９０°回動させた際に、一対の係止爪の角部が係止プレートに当接しても、その係止プレートを外側に弾性変形させて、フランジをスムーズに９０°回動させることが可能となる。
【００１６】
請求項５は、前記ポンプ部材の吸込口を形成する吸込部材の外周にＯリングを設け、このＯリングで吸込部材と連結部材との隙間をシールする構成にしたことを特徴とする。
【００１７】
吸込部材の外周にＯリングを設けて吸込部材と連結部材との隙間をシールできるので、連結部材を吸込部材に嵌め込むだけで、吸込部材と連結部材との隙間を確実にシールすることができる。
【００１８】
請求項６の発明は、前記連結部材の開口を閉じるキャップが着脱自在に取り付けられていることを特徴とする。
【００１９】
パウチパックの連結部材の開口にキャップを着脱自在に取り付けたので、このキャップを外すことにより連結部材を簡単に開口させることができる。
【００２０】
【発明の実施の形態】
以下添付図面に基づいて本発明に係るディスペンサー容器の一実施の形態を詳説する。
図１は本発明に係るディスペンサー容器の第１実施の形態を示す分解斜視図、図２は同縦断面図、図３〜図６は本発明に係る第１実施の形態のディスペンサー容器においてパウチパックを交換する第１〜第４手順説明図である。
【００２１】
図１〜図２に示すディスペンサー容器１０は、容器本体１１の開口１２に、この開口１２を塞ぐことができるカバー体１３を着脱自在に取り付け、このカバー体１３にポンプ部材１４を取り付け、ポンプ部材１４の吸込口１５をカバー体１３の内面１３ａ側に位置させ、ポンプ部材１４の吐出口１６をカバー体１３の外面１３ｂ側に位置させ、前記カバー体１３の内面１３ａ側に係止部材１７を形成し、この係止部材１７に着脱自在に取り付けられる連結部材２１をパウチパック２０の上端に装着し、この連結部材２１はポンプ部材１４の吸込口１５を備えた吸込部材１８に嵌め込み可能となっている。
【００２２】
容器本体１１は、パウチパック２０を収納できる有底筒体であり、その開口１２の外周にはカバー体１３を係止するための係止凸条１２ａが環状に形成されている。
【００２３】
カバー体１３は、容器本体１１の係止凸条１２ａに係止できる係止爪条２３を、その内周１３ｃに環状に形成している。この係止爪条２３を容器本体１１の係止凸条１２ａに係止することで、カバー体１３を容器本体１１の開口１２に着脱自在に取り付けて、開口１２をカバー体１３で塞ぐことができる。
【００２４】
ポンプ部材１４は、吐出口１６を備えたスパウト２４を押し込むことにより、パウチパック２０の収納部２２内の中味を、吸込口１５から吸い上げて、吐出口１６から吐出する。
【００２５】
カバー体１３の内面１３ａ側に形成される係止部材１７は、ポンプ部材１４の吸込口１５を備えた吸込部材１８の外周側に互いに平行に対向して配置され、カバー体１３の内面１３ａ側に配置される一対の係止プレート２６と、これら一対の係止プレート２６の下端２６ａで互いに対向するように折り曲げられた係止爪２７とで形成される。
【００２６】
一方、連結部材２１は、その下端部外周にフランジ２８が設けられ、このフランジ２８の対向する部位には差込用の二辺の差込パーツ２８ａが形成され、この差込パーツ２８ａと直交するように、係止用の二辺の係止パーツ２８ｂが形成される。
【００２７】
図５に示すように、差込パーツ２８ａ間の幅Ｗ１を、一対の係止爪２７の間隔より小さく設定するとともに、図６に示すように、係止パーツ２８ｂ間の幅Ｗ２を一対の係止爪２７の間隔より大きく、かつ一対の係止プレート２６の間隔より小さく設定している。
【００２８】
これにより、差込パーツ２８ａを一対の係止爪２７の間から一対の係止プレート２６の間に差し込むことができ、この状態でフランジ２８を９０°回動させることにより係止パーツ２８ｂを一対の係止爪２７に係止できる。
よって、フランジ２８を９０°回動させるだけの簡単な動作でパウチパック２０を簡単に交換できることとなる。
【００２９】
ここで、一対の係止プレート２６を弾性変形可能な素材で形成しておくと、フランジ２８を９０°回動させ、係止パーツ２８ｂの角部２８ｃ（図５参照）が係止プレート２６に当接した際に、係止プレート２６は外側に弾性変形して、フランジ２８をスムーズに９０°回動させることができる。
【００３０】
また、一対の係止プレート２６には、フランジ２８を９０°回動させた際に、係止パーツ２８ｂが当接するストッパ片２９（図５、図６も参照）が設けられている。
【００３１】
このストッパ片２９を設けることで、フランジ２８を９０°回動させた際に、係止パーツ２８ｂをストッパ片２９に当接することができ、これにより一対の係止プレート２６にフランジ２８を係止させる動作を確実に、かつ簡単に行うことができる。
【００３２】
なお、一対の係止プレート２６の下端部近傍に案内溝（図示せず）を形成して、この案内溝で係止パーツ２８ｂを案内するように構成することも可能であり、このように、係止パーツ２８ｂを案内溝で案内させた場合には、係止部材１７に連結部材２１を一層確実に係止させることができる。
【００３３】
さらに、吸込口１５を備えた吸込部材１８の外周にはＯリング３０が設けられており、このＯリング３０で吸込部材１８と連結部材２１との隙間を確実にシールすることができる。
【００３４】
連結部材２１は、筒状体の下端部外周にフランジ２８が一体形成されるとともに、フランジ２８の下方にパウチパック２０の上端中央２２ａが接続されている。これにより、連結部材２１をパウチパック２０の収納部２２内と連通させることができる。
【００３５】
したがって、連結部材２１を吸込部材１８に嵌め込んで、吸込部材１８と連結部材２１との隙間をＯリング３０でシールすることにより、吸込部材１８の吸込口１５を連結部材２１を介してパウチパック２０の収納部２２内と連通させることができる。
【００３６】
連結部材２１には、パウチパック２０の開口３２を塞ぐキャップ３３が着脱自在に取り付けられているので、キャップ３３を外すだけで連結部材２１を簡単に開口することができる。
また、パウチパック２０は中味を収納する収納袋であり、その上端の中央２２ａに連結部材２１が形成されている。
【００３７】
つぎに、ディスペンサー容器１０においてパウチパック２０を交換する手順を図１及び図３〜図６に基づいて説明する。
図１に示すパウチパック２０内の中味を使いきった際には、係止部材１７から連結部材２１を外して、使い古したパウチパック２０を取り除く。
【００３８】
つぎに、新たなパウチパック２０のキャップ３３を連結部材２１から外し、図３に示すようにフランジ２８の差込パーツ２８ａを一対の係止爪２７の間から一対の係止プレート２６の間に矢印の方向に差し込む。
【００３９】
この際、連結部材２１を吸込部材１８に嵌め込み、Ｏリング３０で吸込部材１８と連結部材２１との隙間をシールしている。連結部材２１を吸込部材１８に嵌め込んだ状態を図４に示し、この状態から、連結部材２１を矢印の方向（反時計回りの方向）に回動させる。
【００４０】
連結部材２１を矢印の方向に回動させることにより、図５に示すようにフランジ２８を矢印の方向に回動することができる。フランジ２８を９０°回動させることにより、図６に示すように係止パーツ２８ｂを一対の係止爪２７に係止させることができる。
【００４１】
ここで、図３に示すように吸込口１５を形成する吸込部材１８の外周にはＯリング３０が設けられているので、連結部材２１を吸込部材１８に嵌め込んだ際に、Ｏリング３０で吸込部材１８と連結部材２１との隙間をシールすることができ、また連結部材２１を介して吸込部材１８の吸込口１５をパウチパック２０の収納部２２内と連通させることができる。
【００４２】
このように、ディスペンサー容器１０によれば、パウチパック２０内の中味を使いきった際には、係止部材１７からパウチパック２０の連結部材２１を外して、新たなパウチパック２０の連結部材２１を係止部材１７に取り付けることで中味の詰め替えを簡単に行うことができる。
【００４３】
つぎに、第２実施の形態を図７に示す。なお、第２実施の形態において第１実施の形態と同じ部材は同一符号を付して説明を省略する。
第２実施の形態のディスペンサー容器５０は、吸込部材５１の先端部５２にＯリング５３を配置し、一対の係止プレート５４を上方に向けてテーパ状に形成したものである。
【００４４】
吸込部材５１の先端部５２にＯリング５３を配置することで、連結部材２１を吸込部材５１に嵌め込みやすくでき、一対の係止プレート５４を上方に向けてテーパ状に形成することで、連結部材２１を一対の係止プレート５４でガイドして吸込部材５１にスムーズに嵌め込ませることができる。
【００４５】
【発明の効果】
以上述べたように、請求項１によるディスペンサー容器によれば、カバー体の内面側に係止部材を形成し、この係止部材にパウチパックの連結部材を着脱自在に構成したので、パウチパック内の中味を使いきった際には、係止部材から連結部材を外して、新たなパウチパックの連結部材を係止部材に取り付けることで中味の詰替えが完了する。
このように、パウチパックを交換するだけで中味を詰め替えることができるので、中味の詰替えは手間をかけないで簡単に行える。
【００４６】
請求項２は、差込パーツを一対の係止プレート間に配置した後、フランジを９０°回動させて係止パーツを一対の係止爪に係止させるように構成したので、フランジを９０°回動させるだけの簡単な動作でパウチパックを交換することができ、中味の詰替えを手間をかけないで一層簡単に行える。
【００４７】
請求項３は、一対の係止プレートにストッパ片を設けることで、フランジを９０°回動させた際に、係止パーツをストッパ片に当接させられるので、一対の係止プレートにフランジを係止させる動作を確実に、かつ簡単に行える。
これにより、中味の詰替えを手間をかけないで一層簡単に行える。
【００４８】
請求項４は、一対の係止プレートを弾性変形可能な素材で形成したので、フランジを９０°回動させた際に、一対の係止爪の角部が係止プレートに当接しても、一対の係止プレートを外側に弾性変形させて、フランジをスムーズに９０°回動させることができ、中味の詰替えを手間をかけないで一層簡単に行える。
【００４９】
請求項５は、吸込部材の外周にＯリングを設けて吸込部材と連結部材との隙間をシールすることで、連結部材を吸込部材に嵌め込むだけで、吸込部材と連結部材との隙間を簡単にシールすることができる。
これにより、中味の詰替えを手間をかけないで一層簡単に行える。
【００５０】
請求項６は、連結部材の開口にキャップを着脱自在に取り付けることで、キャップを外すことにより連結部材を簡単に開口することができ、中味の詰替えを手間をかけないで一層簡単に行える。
【図面の簡単な説明】
【図１】本発明に係るディスペンサー容器の第１実施の形態を示す分解斜視図である。
【図２】同縦断面図である。
【図３】本発明に係る第１実施の形態のディスペンサー容器においてパウチパックを交換する第１手順説明図である。
【図４】同パウチパックを交換する第２手順説明図である。
【図５】図４のＶ−Ｖ線断面位置で示す、同パウチパックを交換する第３手順説明図である。
【図６】同パウチパックを交換する第４手順説明図である。
【図７】本発明に係るディスペンサー容器の第２実施の形態を示す縦断面図である。
【符号の説明】
１０…ディスペンサー容器
１１…容器本体
１２…容器本体の開口
１２ａ…係止凸条
１３…カバー体
１３ａ…カバー体の内面
１３ｂ…カバー体の外面
１３ｃ…内周
１４…ポンプ部材
１５…吸込口
１６…吐出口
１７…係止部材
１８…吸込部材
２０…パウチパック
２１…連結部材
２２…パウチパックの収納部
２２ａ…パウチパックの上端中央
２３…係止凹条
２４…スパウト
２６…係止プレート
２６ａ…係止プレートの下端
２７…係止爪
２８…フランジ
２８ａ…差込パーツ
２８ｂ…係止パーツ
２９…ストッパ片
３０…Ｏリング
３２…パウチパックの開口
３３…キャップ
【図１】
2004161287.tif 000003
【図２】
2004161287.tif 000004
【図３】
2004161287.tif 000005
【図４】
2004161287.tif 000006
【図５】
2004161287.tif 000007
【図６】
2004161287.tif 000008
【図７】
2004161287.tif 000009